(57)【要約】【課題】  圧縮機用シリンダー組立体及びその組立方法において、シリンダー組立体の組立を容易にしながらもシリンダー組立体の構成が簡素化する。【解決手段】  内部に圧縮室が形成されたシリンダーブロックと、前記圧縮室を密閉するように前記シリンダーブロックに結合されるシリンダーヘッドと、前記シリンダーブロックとシリンダーヘッドとの間に介在されるバルブ装置と、を備える圧縮機用シリンダー組立体の組立方法において、前記シリンダーブロックを組立治具上に支持し、前記バルブ装置を貫通するバルブガイド穴、及び前記バルブ装置と結合する前記シリンダーヘッドの表面に形成されるヘッドガイド溝を通じてガイドピンを締付けることによって、前記バルブ装置とシリンダーヘッドを前記シリンダーブロックと整列させ、前記シリンダーブロック、バルブ装置及びシリンダーヘッドが互いに分離されないように前記シリンダー組立体を固定し、前記シリンダー組立体から組立治具を除去する。【選択図】      図６
2007002844.tif 000002
【特許請求の範囲】
【請求項１】
内部に圧縮室が形成されたシリンダーブロックと、前記圧縮室を密閉するように前記シリンダーブロックに結合されるシリンダーヘッドと、前記圧縮室への冷媒の流入と前記圧縮室からの冷媒の流出を断続するように前記シリンダーブロックとシリンダーヘッドとの間に介在されるバルブ装置と、を備える圧縮機用シリンダー組立体の組立方法であって、
複数のガイドピンが前記シリンダーブロックの外側へ延長形成される組立治具上に前記シリンダーブロックを支持し、
前記バルブ装置を貫通するバルブガイド穴と前記シリンダーヘッドの表面に形成されるヘッドガイド溝を通じて複数のガイドピンを締付けることによって、前記バルブ装置とシリンダーヘッドを前記シリンダーブロックと整列させ、
前記シリンダーブロック、バルブ装置及びシリンダーヘッドが互いに分離されないように前記シリンダー組立体を固定し、
前記シリンダー組立体から組立治具を除去することを特徴とする圧縮機用シリンダー組立体の組立方法。
【請求項２】
前記シリンダーブロックは、本体部と、内部に前記圧縮室が形成されるように前記本体部の外周から外側方へ延長形成された円筒部と、前記本体部反対側の前記円筒部先端に設けられたフランジ部と、を備え、
前記シリンダーブロックの支持は、前記組立治具の支持面が、前記円筒部と対面する前記フランジ部の面に支持されてなり、
前記ブロックガイド穴は、前記フランジ部に形成されることを特徴とする請求項１に記載の圧縮機用シリンダー組立体の組立方法。
【請求項３】
前記シリンダーヘッドは、相互区画されるように形成された冷媒吸入室及び冷媒吐出室を備え、
前記バルブ装置は、
前記圧縮室が前記冷媒吸入室及び冷媒吐出室とそれぞれ連通されるようにする吸入穴及び吐出穴が形成され、前記吐出穴を開閉する吐出バルブが設置されたバルブプレートと、
前記吸入穴を開閉するように前記バルブプレートと前記フランジ部との間に設置される吸入バルブと、
前記吸入バルブと前記フランジ部との間に設置される第１ガスケットと、
前記バルブプレートと前記シリンダーヘッドとの間に設置される第２ガスケットと、を備えてなり、
前記バルブガイド穴は、前記バルブ装置に前記ブロックガイド穴と対応するように形成されることを特徴とする請求項２に記載の圧縮機用シリンダー組立体の組立方法。
【請求項４】
内部に圧縮室が形成されたシリンダーブロックと、
前記圧縮室を密閉するように前記シリンダーブロックに結合されるシリンダーヘッドと、
前記圧縮室への冷媒の流入と前記圧縮室からの冷媒の流出を断続するように前記シリンダーブロックとシリンダーヘッドとの間に介在されるバルブ装置と、を備える圧縮機用シリンダー組立体であって、
前記バルブ装置とシリンダーヘッドは、前記シリンダーブロックが組立治具に支持された状態で、前記シリンダーブロックと整列するように位置し、
前記シリンダーブロックとバルブ装置の一側には、前記各ガイドピンが貫通して締付けられるように複数のブロックガイド穴とバルブガイド穴がそれぞれ形成され、
前記バルブ装置と結合する前記シリンダーヘッドの表面には複数個のヘッドガイド溝が形成されたことを特徴とする圧縮機用シリンダー組立体。
【請求項５】
前記シリンダーブロックは、本体部と、内部に前記圧縮室が形成されるように前記本体部の外周から外側方へ延長形成された円筒部と、前記本体部反対側の前記円筒部の先端に設けられたフランジ部と、を備え、
前記複数のブロックガイド穴は、前記フランジ部に形成されたことを特徴とする請求項４に記載の圧縮機用シリンダー組立体。
【請求項６】
シリンダーブロックに形成される少なくとも１つのガイド穴を通じて少なくとも１つのガイドピンを締付け、
バルブ装置及びシリンダーヘッドにそれぞれ設けられる少なくとも一のガイド部を通じて少なくとも一つのガイドピンを締付けることによって、前記バルブ装置及びシリンダーヘッドを前記シリンダーブロックと整列させ、
前記シリンダーブロックを少なくとも一つのバルブ装置及びシリンダーヘッドに固定し、
前記少なくとも一つのガイドピンを除去することを特徴とするシリンダー組立体の組立方法。
【請求項７】
前記少なくとも一つのガイドピンは、複数のガイドピンを含むことを特徴とする請求項６に記載のシリンダー組立体の組立方法。
【請求項８】
前記少なくとも一つのガイドピンは、組立治具に設けられることを特徴とする請求項７に記載のシリンダー組立体の組立方法。
【請求項９】
前記少なくとも一つのガイドピンは、組立治具に設けられることを特徴とする請求項６に記載のシリンダー組立体の組立方法。
【請求項１０】
少なくとも一つのガイド部は、少なくとも一つのバルブガイド穴及びヘッドガイド溝を含むことを特徴とする請求項６に記載のシリンダー組立体の組立方法。
【請求項１１】
シリンダーブロックに形成される少なくとも１つのガイド穴を通じて少なくとも１つのガイドピンを締付ける手段と、
バルブ装置及びシリンダーヘッドにそれぞれ設けられる少なくとも一のガイド部を通じて少なくとも一つのガイドピンを締付けることによって、前記バルブ装置及びシリンダーヘッドを前記シリンダーブロックと整列させる手段と、
前記シリンダーブロックを少なくとも一つのバルブ装置及びシリンダーヘッドに固定する手段と、
前記少なくとも一つのガイドピンを除去する手段と、を備えてなることを特徴とするシリンダー組立体の組立装置。
【請求項１２】
前記少なくとも一つのガイドピンは、複数のガイドピンを含み、
前記少なくも一つのガイド部は、少なくとも一つのバルブガイド穴及びヘッドガイド溝を含むことを特徴とする請求項１１に記載のシリンダー組立体の組立装置。
【発明の詳細な説明】
【技術分野】
【０００１】
本発明は、圧縮機用シリンダー組立体及びその組立方法に係り、より詳細には、シリンダーブロック、バルブ装置及びシリンダーヘッドを備える圧縮機用シリンダー組立体の組立を容易にしながらもシリンダー組立体の構成を簡素化できるようにした圧縮機用シリンダー組立体に関する。
【背景技術】
【０００２】
一般に、冷蔵庫や空気調和機などの冷凍サイクルに採用されて冷媒を圧縮する機能を担う圧縮機は、冷媒の圧縮作用を行なう圧縮部と、冷媒の圧縮に要求される駆動力を提供する駆動部と、を備える。これら圧縮部及び駆動部は両方とも、外観を形成する密閉容器の内部に配備される。かかる圧縮機用シリンダー組立体の一例が、特許文献１に開示されている。
【特許文献１】韓国公開特許第１０−２００４−３５４９２号公報
【発明の開示】
【発明が解決しようとする課題】
【０００３】
本発明は上記の問題点を解決するためのもので、その目的は、シリンダー組立体の組立を容易にしながらもシリンダー組立体の構成を簡素化できるようにした圧縮機用シリンダー組立体及びその組立方法を提供することにある。
【課題を解決するための手段】
【０００４】
上記目的を達成するための本発明に係る圧縮機用シリンダー組立体の組立方法は、内部に圧縮室が形成されたシリンダーブロックと、前記圧縮室を密閉するように前記シリンダーブロックに結合されるシリンダーヘッドと、前記圧縮室への冷媒の流入と前記圧縮室からの冷媒の流出を断続するように前記シリンダーブロックとシリンダーヘッドとの間に介在されるバルブ装置と、を備える圧縮機用シリンダー組立体の組立方法であって、複数のガイドピンが前記シリンダーブロックの外側へ延長されるように形成される組立治具上に前記シリンダーブロックを支持し、前記バルブ装置を貫通するバルブガイド穴と前記シリンダーヘッドの表面に形成されるヘッドガイド溝を通じて複数のガイドピンを締付けることによって、前記バルブ装置とシリンダーヘッドを前記シリンダーブロックと整列させ、前記シリンダーブロック、バルブ装置及びシリンダーヘッドが互いに分離されないように前記シリンダー組立体を固定し、前記シリンダー組立体から組立治具を除去することを特徴とする。
【０００５】
また、上記目的を達成するための本発明に係る圧縮機用シリンダー組立体は、内部に圧縮室が形成されたシリンダーブロックと、前記圧縮室を密閉するように前記シリンダーブロックに結合されるシリンダーヘッドと、前記圧縮室への冷媒の流入と前記圧縮室からの冷媒の流出を断続するように前記シリンダーブロックとシリンダーヘッドとの間に介在されるバルブ装置と、を備える圧縮機用シリンダー組立体であって、前記バルブ装置とシリンダーヘッドは、前記シリンダーブロックが組立治具に支持された状態で、前記シリンダーブロックと整列するように位置し、前記シリンダーブロックとバルブ装置の一側には、前記各ガイドピンが貫通して締付けられるように複数個のブロックガイド穴とバルブガイド穴がそれぞれ形成され、前記バルブ装置と結合する前記シリンダーヘッドの表面には複数のヘッドガイド溝が形成されたことを特徴とする。
【０００６】
また、本発明の目的を達成するシリンダー組立体の組立方法は、シリンダーブロックに形成される少なくとも１つのガイド穴を通じて少なくとも１つのガイドピンを締付け、バルブ装置及びシリンダーヘッドにそれぞれ設けられる少なくとも一のガイド部を通じて少なくとも一つのガイドピンを締付けることによって、前記バルブ装置及びシリンダーヘッドを前記シリンダーブロックと整列させ、前記シリンダーブロックを少なくとも一つのバルブ装置及びシリンダーヘッドに固定し、前記少なくとも一つのガイドピンを除去することを特徴とする。
【発明の効果】
【０００７】
本発明による圧縮機用シリンダー組立体及びその組立方法は、シリンダー組立体の各構成が固定ボルトの締付時に定位置からずれることなく整列した状態を維持できるようにするガイドピンが、シリンダー組立体の組立時に使用されてからシリンダー組立体の組立が完了した状態では除去されるように設けられた組立治具に形成されるため、シリンダー組立体の組立を容易にしながらもシリンダー組立体の構成を簡素化させることが可能になる。
【発明を実施するための最良の形態】
【０００８】
以下、本発明の好適な実施例を、添付図面を参照しつつ詳細に説明する。図面中、同一の構成要素には、可能な限り同一の参照符号及び番号を付する。
【０００９】
説明のために、圧縮機の圧縮部は、ピストン、シリンダーブロック、シリンダーヘッド及びバルブ装置を備えるものとする。ここで、ピストンは、駆動部の回転軸とコンロッドを介して連結されて直線往復運動を行ない、シリンダーブロックは、ピストンが設置される圧縮室を有し、シリンダーヘッドは、圧縮室を密閉するようにシリンダーブロックに結合され、相互区画して形成される冷媒吸入室と冷媒吐出室を備え、バルブ装置は、圧縮室とシリンダーヘッドとの間に介在されて、冷媒吸入室から圧縮室に流入したり、圧縮室から冷媒吐出室に吐出される冷媒の流れを断続する機能を担う。
【００１０】
ここで、シリンダーブロック、バルブ装置及びシリンダーヘッドは相互結合してシリンダー組立体を形成する。該シリンダー組立体は、シリンダーヘッドとバルブ装置を貫通して圧縮室周辺の位置においてシリンダーブロックに締付けられる固定ボルトのような締め具によって相互分離が防止されるように結合される。
【００１１】
また、上記シリンダー組立体には、固定ボルトの締付け時にシリンダー組立体を構成する各構成の組立位置がずれることなく定位置に整列した状態を維持可能にするガイド手段が備えられ、これにより、シリンダー組立体の組立がより容易になる。該ガイド手段は、シリンダーブロックの両側縁と、これに対応する部位のバルブ装置及びシリンダーヘッドにそれぞれ形成される複数本のガイドピン穴と、シリンダーブロックの各ガイドピン穴に締付けられるガイドピンとを備え、前記ガイドピンにバルブ装置とシリンダーヘッドのガイドピン穴を逐次嵌めるか、または、シリンダーヘッドのガイドピンの位置にガイドピンの役割を果たしうる突起を設け、この突起にバルブ装置とシリンダーブロックのガイドピン穴を逐次嵌めることで、シリンダー組立体の各構成が定位置に整列されるようにする。このようなガイド手段の使用によって各構成が定位置に整列した状態のシリンダー組立体は、固定ボルトによって相互分離されることなく強固に組立てられるようになる。
【００１２】
このような圧縮機用シリンダー組立体は、ガイド手段の使用によって各構成間の組立がより容易になるという利点はあるが、ガイド手段（例えば、シリンダーブロックに締付けられるガイドピンやシリンダーヘッドに設けられる突起）によってシリンダー組立体の構成部品数が増加し、シリンダー組立体の構造の簡素化が図り難い。
【００１３】
そこで、本発明による圧縮機構成の他の例を、図１の断面図を参照して説明する。図１に示す圧縮機は、組立に用いられる部品の数を減らしている。図１に示すように、圧縮機は、圧縮機の外観を形成する密閉容器１を備える。この密閉容器１は、冷媒吸入管２及び冷媒吐出管３と、冷媒の圧縮作用を行なう圧縮部と、冷媒の圧縮のための駆動力を提供する駆動部を収容する機能を担う。ここで、圧縮部と駆動部は、密閉容器１内に配置される。
【００１４】
また、駆動部は、シリンダーブロック２０の上部外周側に固定される固定子４と、固定子４との電気的な相互作用によって回転するように固定子４の内部に設置される回転子５と、上部は回転子５の中央部に圧入され、下部はシリンダーブロック２０の中央側に設置されたベアリング６に回転自在に支持される回転軸７と、を備え、回転軸７の下端は、偏心部７ａを形成する。
【００１５】
また、圧縮部は、回転軸７の回転時に直線往復運動するように、コンロッド８を介して回転軸７の偏心部７ａと連結されるピストン９と、ピストン９が設置される圧縮室２１を有するシリンダーブロック２０と、圧縮室２１を密閉するようにシリンダーブロック２０に結合され、相互区画して形成された冷媒吸入室４１及び冷媒吐出室４２を有するシリンダーヘッド４０と、圧縮室２１とシリンダーヘッド４０との間に介在され、冷媒吸入室４１から圧縮室２１に吸入されたり、圧縮室２１から冷媒吐出室４２に吐出される冷媒の流れを断続するバルブ装置３０と、を備えて構成される。
【００１６】
このような構造によって、駆動部の固定子４と回転子５との電気的な相互作用で回転子５と共に回転軸７が回転すると、コンロッド８を介して回転軸７に連結されたピストン９が、圧縮室２１の内部で直線往復運動をし、これにより、密閉容器１外部から冷媒吸入管２及び冷媒吸入室４１を経由して圧縮室２１に流入した冷媒は、圧縮室２１内部で圧縮され、このように圧縮室２１で圧縮された冷媒は、冷媒吐出室４２と冷媒吐出管３を経由して密閉容器１の外部に吐出される。このような冷媒吸入、圧縮及び吐出動作が繰り返されることで、圧縮機の冷媒圧縮がなされる。
【００１７】
図２は、図１の圧縮機におけるシリンダー組立体の構成例を示す分解斜視図である。
図２に示すように、シリンダーブロック２０は、本体部２２と、内部に圧縮室２１が形成されるように本体部２２の一側から円筒形状に延長形成された円筒部２３と、バルブ装置３０とシリンダーヘッド４０との結合のために、本体部２２に対向する方の円筒部２３の先端に形成される四角形状のフランジ部２４と、を備えて構成される。バルブ装置３０は、略中央部の一側と他側にそれぞれ、圧縮室２１と冷媒吸入室４１とを連通させる吸入穴３１ａと、圧縮室２１と冷媒吐出室４２とを連通させる吐出穴が形成され、該吐出穴を開閉するための吐出バルブ３１ｂが、冷媒吐出室４２と対面するバルブプレートの表面に吐出穴を覆うように設けられたバルブプレート３１と、吸入穴３１ａを開閉するように形成されたフラップ部３２ａを有し、バルブプレート３１とシリンダーブロック２０のフランジ部２４との間に配設される吸入バルブ３２と、冷媒の漏洩を防止するためのもので、吸入バルブ３２とフランジ部２４との間に配設される第１ガスケット３３及びバルブプレート３１とシリンダーヘッド４０との間に配設される第２ガスケット３４と、を備えて構成される。これらバルブ装置３０、シリンダーヘッド４０及びシリンダーブロック２０は相互結合してシリンダー組立体１０を形成する。
【００１８】
また、本発明のシリンダー組立体１０において、フランジ部２４が上部に向かうように、円筒部２３側のフランジ部２４の背面を、図３に示すように、支持バー２００によって支持される組立治具１００の支持面１１１に支持されるようにした状態で、フランジ部２４の上面に、バルブ装置３０の各構成とシリンダーヘッド４０を順に積層させた後、シリンダーヘッド４０の上部からシリンダーヘッド４０とバルブ装置３０を貫通してシリンダーブロック２０のフランジ部２４に複数の締め具（例えば、固定ボルトまたは同等の締め具）５０を締付けることで、シリンダーブロック２０、バルブ装置３０及びシリンダーヘッド４０が相互結合して組立てられる。このような固定ボルト５０の締付のために、バルブ装置３０の各構成、フランジ部２４、及びシリンダーヘッド４０の例えば隅部にはそれぞれ、ボルト締め穴２４ａ、３１ｃ、３２ｂ、３３ａ、３４ａ、４３が穿設される。
【００１９】
ここで、組立治具１００は、支持バー２００に連結される胴体部１１０を備える。胴体部１１０の上面は、支持面１１１を形成し、このような胴体部１１０と一体にガイドピン１２０が形成される。前記胴体部１１０の前面中央部には、支持面１１１がシリンダーブロック２０のフランジ部２４の背面に支持された状態においてシリンダーブロック２０の円筒部２３外面に密着されるように、半球形の密着溝１１２が形成され、このように形成される組立治具１００は、固定ボルト５０が締付けられた後にシリンダー組立体１０から除去される。
【００２０】
また、固定ボルト５０の締付時に、シリンダー組立体１０を構成する各構成の組立位置がずれることなく定位置に整列した状態を維持できるように、組立治具１００の支持面１１の両側には上方に所定長さだけ突出した一対のガイドピン１２０が組立治具１００の胴体部１１０と一体に形成され、この組立治具１００のガイドピン１２０を介してシリンダー組立体１０の各構成を整列させるために、フランジ部２４の左側辺及び右側辺の略中央には、ガイドピン１２０が締付けられるようにフランジ部２４を貫通してブロックガイド穴２４ｂがそれぞれ形成される。
【００２１】
また、フランジ部２４のブロックガイド穴２４ｂを貫通して上部に延びるガイドピン１２０にバルブ装置３０の各構成とシリンダーヘッド４０も整列できるように、該ブロックガイド穴２４ｂの位置に対応するバルブ装置３０の各構成の周縁側にはバルブ装置３０の各構成を貫通してバルブガイド穴３１ｄ，３２ｃ，３３ｂ，３４ｂがそれぞれ形成され、また、バルブ装置３０に結合されるシリンダーヘッド４０の面には、バルブ装置３０側に開放されるように形成されたヘッドガイド溝４４が、ブロックガイド穴２４ｂと対応するように形成される。
【００２２】
そして、このように構成されるシリンダー組立体１０は、シリンダーブロック２０が組立治具１００に支持されるようにするブロック支持段階と、組立治具１００に支持されたシリンダーブロック２０にバルブ装置３０の各構成とシリンダーヘッド４０を積層させて、シリンダー組立体１０の各構成を定位置に整列させる整列段階と、固定ボルト５０をシリンダー組立体１０の各構成を通じて締付け、シリンダー組立体１０の各構成間の相互分離を防止する固定段階と、組立治具１００を除去する組立治具除去段階とを順に行うことによって形成される。
【００２３】
図４を参照すると、ブロック支持段階では、フランジ部２４が上方に向かうようにした状態で、シリンダーブロック２０の本体部２２とフランジ部２４間の円筒部２３側に組立治具１００を挿入して、組立治具１００のガイドピン１２０がフランジ部２４に形成されたブロックガイド穴２４ｂに締付けられるようにしながら、シリンダーブロック２０のフランジ部２４の背面が組立治具１００の胴体部１１０の支持面１１１に支持されるようにすることで、ガイドピン１２０がフランジ部２４の上部に延びた状態にする。
【００２４】
このブロック支持段階の後には、図５に示すように、バルブ装置３０を構成する第１ガスケット３３、吸入バルブ３２、バルブプレート３１及び第２ガスケット３４の各バルブガイド穴３３ｂ、３２ｃ、３１ｄ、３４ｄが、フランジ部２４の上部に延びたガイドピン１２０に順に締付けられるように、バルブ装置３０の各構成をフランジ部２４の上面に積層した後、シリンダーヘッド４０のヘッドガイド溝４４がバルブ装置３０の上部に延びたガイドピン１２０の先端に締付けられるように、シリンダーヘッド４０をバルブ装置３０の上部に積層させる整列段階を行う。この整列段階によってシリンダー組立体１０の各構成はガイドピン１２０に支持され定位置に整列可能になる。
【００２５】
続いて、図６を参照すると、整列されたシリンダーヘッド４０の上部からシリンダーヘッド４０とバルブ装置３０の各構成を順に貫通してフランジ部２４に締付けられる固定ボルト５０を締付け、シリンダー組立体１０の各構成が相互分離することが防止されるように固定する固定段階が行われる。このような固定ボルト５０の締付時に、シリンダー組立体１０の各構成は、ガイドピン１２０に支持されているので、定位置からずれることなく定位置に整列した状態を維持可能になる。
【００２６】
固定ボルト５０の締付が完了すると、図７に示すように、ガイドピン１２０がシリンダー組立体１０から分離されるように組立治具１００を下方に移動させた後、シリンダーブロック２０のフランジ部２４と本体部２２の間から外側に組立治具１００を取り出してシリンダー組立体１０から組立治具１００を除去する組立治具除去段階が行われ、これでシリンダー組立体１０の組立が完了する。このように、本発明によるシリンダー組立体１０は、組立治具１００がシリンダー組立体１０から除去されると同時に、該組立治具１００に一体に形成されたガイドピン１２０もシリンダー組立体１０から除去されるため、ガイドピン１２０がシリンダー組立体１０の構成品として追加されず、これにより、シリンダー組立体１０の組立が容易になり、且つ、シリンダー組立体１０の構造が簡素化する。
【図面の簡単な説明】
【００２７】
【図１】本発明による圧縮機の構造を概略的に示す断面図である。
【図２】本発明による圧縮機用シリンダー組立体の構造を示す分解斜視図である。
【図３】本発明による圧縮機用シリンダー組立体の組立に使用される組立治具の構造を示す斜視図である。
【図４】本発明による圧縮機用シリンダー組立体のシリンダーブロックの例を示す断面図である。
【図５】本発明による圧縮機用シリンダー組立体のバルブ装置とシリンダーヘッドの例を示す断面図である。
【図６】本発明による圧縮機用シリンダー組立体の各構成の相互結合に用いられる締め具を例示する断面図である。
【図７】本発明による圧縮機用シリンダー組立体の組立が完了した例を示す断面図である。
【符号の説明】
【００２８】
１０      シリンダー組立体
２１      圧縮室
２０      シリンダーブロック
２２      本体部
２３      円筒部
２４      フランジ部
２４ｂ    ブロックガイド穴
３０      バルブ装置
３１      バルブプレート
３２      吸入バルブ
３３      第１ガスケット
３４      第２ガスケット
３１ｄ，３２ｃ，３３ｂ，３４ｂ    バルブガイド穴
４０      シリンダーヘッド
４４      ヘッドガイド溝
５０      固定ボルト
２４ａ，３１ｃ，３２ｂ，３３ａ，３４ａ，４３    ボルト締め穴
１００      組立治具
１１０      胴体部
１１１      支持面
１２０      ガイドピン
【図１】
2007002844.tif 000003
【図２】
2007002844.tif 000004
【図３】
2007002844.tif 000005
【図４】
2007002844.tif 000006
【図５】
2007002844.tif 000007
【図６】
2007002844.tif 000008
【図７】
2007002844.tif 000009